【事件の表示】
　商願２００５−　　４６０６拒絶査定不服審判事件について、次のとおり審決する。
【結　論】
　本件審判の請求は、成り立たない。
【理　由】
第１　本願商標
　本願商標は、「ＣＥＬＬ」の文字を標準文字で表してなり、第９類「マイクロプロセッサー，中央処理装置，パーソナルコンピュータ及びその部品・附属品，携帯情報端末，コンピュータソフトウェア，コンピュータプリンター，光ディスクドライブ，磁気ディスクドライブ，コンピュータ用マザーボード・ハードディスクドライブ・キーボード・モニター，その他の電子応用機械器具及びその部品，テレビジョン受信機，液晶テレビジョン受信機，プラズマディスプレイテレビジョン受信機，プロジェクションテレビジョン受信機，ＤＶＤプレーヤー，ＤＶＤレコーダー，ＣＤプレーヤー，ＣＤレコーダー，ＭＤプレーヤー，ＭＤレコーダー，ハードディスクプレーヤー，デジタルオーディオプレーヤー，テープレコーダー，ビデオテープレコーダー，ハードディスクレコーダー，ハードディスクビデオレコーダー，ビデオカメラ，デジタルカメラ，ヘッドホン，イヤホン，アンプリファイヤー，チューナー，スピーカー，車載用オーディオ／ビデオシステム及びその部品・附属品，その他の電気通信機械器具，家庭用テレビゲームおもちゃ及びその部品・附属品」及び第２８類「携帯用液晶画面ゲームおもちゃ及びその部品・附属品」を指定商品として、平成１７年１月２４日に登録出願され、その後、指定商品については、当審における同１９年４月２日付け提出の手続補正書により、第９類「メモリー内蔵のマイクロプロセッサー，メモリー内蔵の中央処理装置」に補正されたものである。
　
第２　原査定の拒絶の理由の要点
　原査定は、以下の理由（１）ないし（３）のとおり認定、判断し、本願を拒絶したものである。 
（１）本願商標は、「ＣＥＬＬ」の欧文字を書してなるところ、この語は、「ビット記憶素子、記憶装置の最小単位であり、１ビットを記憶することができるもの」を意味するものであるから、本願商標をその指定商品中、例えば、上記に照応する半導体素子について使用するときは、これに接する取引者、需要者は、前記意味合いを把握、認識するに止まり、自他商品の識別標識としての機能を果たさないものと判断するのを相当とする。したがって、本願商標は、その指定商品中、前記に照応する商品ついて使用するときは、単に商品の品質を普通に用いられる方法で表してなるにすぎず、商標法第３条第１項第３号に該当し、上記に照応する商品以外の商品（例えば、半導体素子、電子回路）に使用するときは、商品の品質の誤認を生ずるおそれがあるので、同法第４条第１項第１６号に該当する。
　
（２）本願商標は、以下の登録商標と同一又は類似であって、その商標に係る指定商品と同一又は類似の商品について使用するものであるから、商標法第４条第１項第１１号に該当する。
（ａ）登録第２５０６５６５号商標（以下「引用商標１」という。）は、別掲１のとおりの構成よりなり、昭和６０年１月３１日登録出願、第１１類に属する商標登録原簿に記載のとおりの商品を指定商品として、平成５年２月２６日に設定登録、その後、同１５年１月２８日に商標権の存続期間の更新登録がされ、さらに、同１５年３月１９日に、第９類「電子応用機械器具及びその部品，電気通信機械器具」及び第１１類「電球類及び照明用器具，家庭用電熱用品類」を指定商品とする書換登録がされたものである。
（ｂ）登録第２５０６５６６号商標（以下「引用商標２」という。）は、別掲２のとおりの構成よりなり、昭和６０年１月３１日登録出願、第１１類に属する商標登録原簿に記載のとおりの商品を指定商品として、平成５年２月２６日に設定登録、その後、同１５年１月２８日に商標権の存続期間の更新登録がされ、さらに、同１５年３月１９日に、第９類「電子応用機械器具及びその部品，電気通信機械器具」及び第１１類「電球類及び照明用器具，家庭用電熱用品類」を指定商品とする書換登録がされたものである。
（ｃ）登録第４３８６４２８号商標（以下「引用商標３」という。）は、「セル」の文字を標準文字により表してなり、平成１１年１月８日登録出願、第９類に属する商標登録原簿に記載のとおりの商品を指定商品として、平成１２年５月２６日に設定登録がされたものである。
（ｄ）登録第４７４０９３９号商標（以下「引用商標４」という。）は、別掲３のとおりの構成よりなり、平成１５年３月１４日登録出願、第７類、第９類、第３５類、第３７類、第４１類及び第４２類に属する商標登録原簿に記載のとおりの商品及び役務を指定商品及び指定役務として、平成１６年１月１６日に設定登録されたものである。
（ｅ）登録第４８８３７３８号商標（以下「引用商標５」という。）は、「ＣＥＬ」の文字を標準文字により表してなり、平成１６年１０月２９日登録出願、第９類に属する商標登録原簿に記載のとおりの商品を指定商品として、平成１７年７月２９日に設定登録されたものである。 
（ｆ）国際登録第７９７２４２号商標（以下「引用商標６」という。）は、別掲４のとおりの構成よりなり、平成１４年（２００２年）１２月３１日を国際登録の日とし、第５類「Diagnostic products, reagents for medical, veterinary or pharmaceutical purposes; pharmaceutical and veterinary products; disinfectants.」、第９類「Photographic, optical apparatus and instruments, particularly computer-assisted systems for cell separation, examination and transformation; light sources for use in laboratory, photographic and optical apparatus and instruments, particularly for cell separation, examination and processing; apparatus for recording, transmitting or reproducing sound and images; magnetic and optical data media for recording programs (software) as well as data, sounds and images; programs (software), including operating systems, particularly for use in the field of scientific medicine, as well as for archiving, exploitation and representation of measured values; computer hardware as well as data processing apparatus.」及び第１０類「Medical and veterinary apparatus and instruments.」を指定商品として、同１６年（２００６年）３月１２日に設定登録されたものである。 
（ｇ））国際登録第８３０４８４号商標（以下「引用商標７」という。）は、別掲５のとおりの構成よりなり、平成１６年（２００４年）４月１５日を国際登録の日とし、第５類「Diagnostics and reagents for medical/veterinary or pharmaceutical purposes; pharmaceutical and veterinary products; disinfectants.」、第９類「Photographic and optical apparatus and instruments, in particular computer-supported systems for separation, examination and additional processing of cells; light generators for use in photographic and optical apparatus and instruments, in particular in view of the separation, examination and additional processing of cells; apparatus for recording, transmission or reproduction of images and sound; magnetic and optical data carriers for recording computer software, as well as data of images and sound, in particular DVDs, CDs and floppy disks; computer software, including operating systems, in particular for use in the medical science field, as well as for the storage, evaluation and presentation of measuring data; computer hardware, as well as data processing equipment.」及び第１０類「Medical and veterinary apparatus and instruments.」を指定商品として、同１７年（２００５年）１０月２１日に設定登録されたものである。 
（ｈ）国際登録第８３８３６９号商標（以下「引用商標８」という。）は、別掲６のとおりの構成よりなり、平成１６年（２００４年）９月２９日を国際登録の日とし、第５類「Diagnostic preparations, reagents for medical/veterinary or pharmaceutical purposes; pharmaceutical and veterinary products; disinfectants.」、第９類「Photographic and optical apparatus and instruments, in particular for computer based systems for the separation, examination and additional processing of cells; light generators for the use in photographic and optical apparatus and instruments, in particular in view of the separation, examination and additional processing of cells; apparatus for recording, transmission or reproduction of images and sound; magnetic and optical data carriers for recording computer software, as well as data of images and sound, in particular DVDs, CDs and floppy disks; computer software, including operating systems, in particular for use in the medical science field, as well as for the storage, evaluation and presentation of measuring data; computer hardware, as well as data processing equipment.」及び第１０類に属する国際登録簿に記載の商品を指定商品として、同１８年（２００６年）６月２３日に設定登録されたものである。 
（ｉ）国際登録第８３８３７０号商標（以下「引用商標９」という。）は、別掲７のとおりの構成よりなり、平成１６年（２００４年）９月２９日を国際登録の日とし、第５類「Diagnostic preparations, reagents for medical/veterinary or pharmaceutical purposes; pharmaceutical and veterinary products; disinfectants.」、第９類「Photographic and optical apparatus and instruments, in particular for computer based systems for the separation, examination and additional processing of cells; light generators for the use in photographic and optical apparatus and instruments, in particular in view of the separation, examination and additional processing of cells; apparatus for recording, transmission or reproduction of images and sound; magnetic and optical data carriers for recording computer software, as well as data of images and sound, in particular DVDs, CDs and floppy disks; computer software, including operating systems, in particular for use in the medical science field, as well as for the storage, evaluation and presentation of measuring data; computer hardware, as well as data processing equipment.」及び第１０類「Medical and veterinary apparatus and instruments.」を指定商品として、同１８年（２００６年）６月２３日に設定登録されたものである。 
（ｊ）国際登録第８３８３７１号商標（以下「引用商標１０」という。）は、別掲８のとおりの構成よりなり、平成１６年（２００４年）９月２９日を国際登録の日とし、第９類「Photographic and optical apparatus and instruments, in particular for computer based systems for the separation, examination and additional processing of cells; light generators for the use in photographic and optical apparatus and instruments, in particular in view of the separation, examination and additional processing of cells; apparatus for recording, transmission or reproduction of images and sound; magnetic and optical data carriers for recording computer software, as well as data of images and sound, in particular DVDs, CDs and floppy disks; computer software, including operating systems, in particular for use in the medical science field, as well as for the storage, evaluation and presentation of measuring data; computer hardware, as well as data processing equipment.」及び第１０類「Medical and veterinary apparatus and instruments.」を指定商品として、同１８年（２００６年）６月２３日に設定登録されたものである。 
（ｋ）国際登録第８４１４６３号商標（以下「引用商標１１」という。）は、別掲９のとおりの構成よりなり、平成１６年（２００４年）９月２９日を国際登録の日とし、第５類「Diagnostic preparations, reagents for medical/veterinary or pharmaceutical purposes; pharmaceutical and veterinary products; disinfectants.」、第９類「Photographic and optical apparatus and instruments, in particular for computer based systems for the separation, examination and additional processing of cells; light generators for the use in photographic and optical apparatus and instruments, in particular in view of the separation, examination and additional processing of cells; apparatus for recording, transmission or reproduction of images and sound; magnetic and optical data carriers for recording computer software, as well as data of images and sound, in particular DVDs, CDs and floppy disks; computer software, including operating systems, in particular for use in the medical science field, as well as for the storage, evaluation and presentation of measuring data; computer hardware, as well as data processing equipment.」及び第１０類「Medical and veterinary apparatus and instruments.」を指定商品として、同１８年（２００６年）８月４日に設定登録されたものである。
　 
（３）本願の指定商品中、第９類「コンピュータプリンター，車載用オーディオ／ビデオシステム及びその部品・附属品」は、その内容及び範囲を明確に指定したものとは認められないから、本願は、商標法第６条第１項及び第２項の要件を具備しない。
　
第３　当審の判断
（１）商標法第３条第１項第３号及び同法第４条第１項第１６号について
　本願商標は、その指定商品について前記第１のとおり補正された結果、これをその指定商品に使用しても、特定の商品の品質を直接かつ具体的に表示したものとはいえず、また、商品の品質の誤認を生ずるおそれもないものである。
　したがって、本願商標が商標法第３条第１項第３号及び同法第４条第１項第１６号に該当するとして本願を拒絶した原査定の拒絶の理由は解消した。  
（２）商標法第６条第１項及び第２項について
　本願商標は、その指定商品について前記第１のとおり補正された結果、商品の内容及び範囲が明確となり、かつ、政令で定める商品の区分に従ったものになり、商標法第６条第１項及び第２項の要件を具備するものとなった。　したがって、本願が商標法第６条第１項及び第２項に該当するとして本願を拒絶した原査定の拒絶の理由は解消した。
　
（３）商標法第４条第１項第１１号について 
（ａ）本願商標と引用商標３との類否について
　本願商標は、その指定商品について前記第１のとおり補正された結果、引用商標３の指定商品と同一又は類似の商品は、すべて削除されたと認められるものである。
　その結果、本願商標の指定商品は、引用商標３の指定商品と類似しない商品になったと認められるものである。
（ｂ）本願商標と引用商標１、２、４、５との類否について
　本願商標は、前記第１のとおり「ＣＥＬＬ」の文字よりなるところ、これよりは「セル」の称呼及び「電池、記憶素子」の観念が生ずるものである。　引用商標１は、別掲１のとおりの構成よりなるところ、その構成文字に相応して「エスイーエル」「ハンドウタイエネルギーケンキュージョ」の称呼を生ずるというのが相当である。
　引用商標２は、別掲２のとおりの構成よりなるところ、その構成文字に相応して「エスイーエル」「セミコンダクターエナージーラボラトリー」の称呼を生ずるというのが相当である。
　引用商標４は、別掲３のとおりの構成よりなるところ、その構成文字に相応して「エスイーエル」の称呼を生ずるというのが相当である。
　引用商標５は、「ＣＥＬ」の文字よりなるところ、その構成文字に相応して「シーイーエル」の称呼を生ずるというのが相当である。
　そうとすれば、引用商標１、２、４、５より「セル」の称呼をも生ずるとし、そのうえで、本願商標と引用商標１、２、４、５が称呼上類似するとした原査定の認定、判断は、妥当なものということはできない。
　また、本願商標と引用商標１、２、４、５とは、それぞれの構成よりみて外観上、明らかに区別し得る差異を有するものであり、さらに、観念においては、引用商標１、２、４、５は特定の観念を生ずるものとは認められないから、本願とは比較することができないものである。
　してみれば、本願商標と引用商標１、２、４、５とは、称呼、外観及び観念のいずれの点においても、相紛れるおそれのない非類似の商標といわざるを得ない。
（ｃ）本願商標と引用商標６ないし１１との類否について
　引用商標６ないし１１は、別掲４ないし９のとおりの構成よりなるところ、いずれも構成中に「ｃｅｌｌ」の文字を有するものであり、「ｃｅｌｌ」の文字とその右側上部の図案化された文字、記号は異なる大きさ、書体で表されていることから、全体が常に一体のものとして把握されるとはいい難いく、「ｃｅｌｌ」の文字部分は独立して自他商品の識別標識として機能し得るというべきであるから、その構成文字に相応して「セル」の称呼及び「電池、記憶素子」の観念が生ずるというのが相当である。
　してみれば、本願商標と引用商標６ないし１１とは、外観において差異が認められるとしても、それぞれより生ずる「セル」の称呼及び「電池、記憶素子」の観念を共通にする類似の商標であり、また、本願商標の補正後の指定商品は、引用商標６ないし１１の指定商品と同ー又は類似のものである。
　
（４）むすび
　したがって、本願商標が商標法第４条第１項第１１号に該当するとして本願を拒絶した原査定は妥当であって、取り消すことはできない。
　よって、結論のとおり審決する。